(57)【要約】【課題】    洗濯物を干すとき洗濯バサミを用いなくても簡単な操作で衣類を押さえたり解放したりすることが出来るハンガーを提供する。【解決手段】ハンガーに掛けた洗濯物を上部から押さえた状態を保持できる一対の衣類押さえアーム（３）を設けた。前記状態の解除もロック解除ボタン（５）を押下する一動作で出来るようにした。【選択図】図１
2010269108.tif 000002
【特許請求の範囲】
【請求項１】
フック（１）、中軸部（２）、本体（４）、前記中軸部に支点を有する一対の衣類押さえアーム（３）及び前記中軸部内を上下動するロック解除ボタン（５）よりなり、前記衣類押さえアーム及び前記ロック解除ボタンが弾性部材により上方向に付勢され、前記衣類押さえアーム（３）を本体に接触するまで押下した時にアーム及びロック解除ボタンの接点部にそれぞれ設けられた係止部材が連係して前記アーム押下状態が保持されることを特徴とする洗濯バサミ不要のハンガー。
【請求項２】
前記衣類押さえアームは両基端部接点で歯合する歯車（７）を備えていることを特徴とする請求項１記載のハンガー。
【請求項３】
前記衣類押さえアーム及び前記ロック解除ボタンに係止部材としてそれぞれ突起Ｂ（１０）突起Ｃ（１１）を設けた請求項１記載のハンガー。
【請求項４】
前記衣類押さえアーム及び前記ロック解除ボタンに係止部材として一方に突起（１６）、他方にこの突起に嵌合する切り欠き（１７）を設けた請求項１記載のハンガー。
【発明の詳細な説明】
【技術分野】
【０００１】  この発明は洗濯した衣類を干すためのハンガーに関するものである。
【背景技術】
【０００２】  従来、洗濯した衣類を干すときにはハンガー本体に掛けた洗濯物の一部を洗濯バサミで留めることによりずり落ちを防止していた。
【発明の開示】
【発明が解決しようとする課題】
【０００３】  しかし、上記の方法では洗濯バサミを離れた場所に置いている場合は一々取りに行く必要があり、また洗濯バサミを足元に置いている場合は一々屈む動作を繰り返す必要があった。本発明は上記のような従来ハンガーの問題点に鑑み、洗濯バサミを用いなくても洗濯物がずり落ちたり風で飛ばされたりしないハンガーを提供することを目的とするものである。
【課題を解決するための手段】
【０００４】  ハンガーのフック（１）下部に、ハンガー中軸部（２）を支点として上下に動き接点部に歯合する歯車（７）を設けて連動するようにした衣類押さえアーム（３）を一対設け、両アームが弾性部材により上方向に付勢されるようにした。また前記中軸部内に弾性部材で垂直方向に付勢されたロック解除ボタン（５）を設け同ボタンと両アームとの接点部に係止部材を設けて両アームが洗濯物を押さえる位置まで押下された状態を保持できるようにした。
【発明の効果】
【０００５】  洗濯物を干すときにハンガー本体に洗濯物を掛けて衣類押さえアームを押下するとアーム先端部が衣類を押さえてずり落ちを防いだ状態で位置固定されることで従来のように洗濯バサミを用いて衣類を留める必要が無くなった。また前記位置固定状態の解除もロック解除ボタンの押下のみで可能となるため、洗濯物を取り入れる際に洗濯バサミを一々外して一ヶ所にまとめて置いたりする手間が無くなった。
【発明を実施するための最良の形態】
【０００６】  以下、本発明を実施するための最良の形態を詳細に説明する。【０００７】  ハンガー中軸部（２）に水平に並ぶ位置に２個の同形状突起Ａ（６）を設け衣類押さえアーム（３）各基端部の穿孔を突起Ａに嵌合させる。なお、前記突起Ａ及びアームの穿孔はアームが上下動する際の支点の役割を果たすことが目的であるため、アーム側に突起を設け中軸部側にこの突起に嵌合する穿孔を設けても差し支えない。【０００８】  両アームの接点となる部分に歯車（７）を設けこの歯車が歯合することにより両アームが連動するようにする。【０００９】  両アームを図２に示される状態に上げた状態で基端部に薄い金属板Ａ（８）を橋設しアーム先端を押し下げても金属板Ａの弾性により元の位置に戻るようにする。なお、前記金属板Ａは両アームを上げた状態に保持することが目的であるため同様の効果を持つ他の弾性部材に置き換えが可能である。置き換え例として図４に示したように引きバネ（１２）を用いることや図５に示したようにアーム基端部にＶ字形状のキックバネ（１３）を設置することが考えられる。【００１０】  中軸部（２）内に指を入れる穴を設けたロック解除ボタン（５）を設置し金属板Ｂ（９）により垂直方向に付勢する。なお、前記金属板Ｂは他の弾性部材に置き換えが可能である。例として図６に示すように押しバネ（１５）を用いることが考えられる。【００１１】  ロック解除ボタンと両アームの接点部にそれぞれ係止部材となる突起Ｂ（１０）、突起Ｃ（１１）を設け、両アームをハンガー本体（４）に接触する位置まで押下したときに前記係止部材が連係することにより前記アーム押下状態が保持されるようにする。（図３）
なお、ロック解除ボタンとアームの双方に設ける係止部材は上記例以外にも一方に突起Ｄ（１６）、他方にこの突起に嵌合する切り欠き（１７）を設ける例が考えられる。（図７）【００１２】  図８に示すように衣類押さえアームの両先端部に半円柱形状の衣類押さえ部（１４）を設け、その内測面には衣類が滑らないようにラバーやスポンジ等の摩擦体を貼付し又は衣類との摩擦を増す目的の任意形状の突起を設ける。【００１３】  本発明は以上の構成からなる。本発明を使用するときの手順は以下の通りである。ロック解除ボタン（５）中央の穴に指を入れて押下し両アーム（３）を上がった状態にし洗濯物を従来のハンガーに掛けるのと同じように本体（４）に掛け、両アームを片手又は両手で押し下げる。
衣類を押さえる位置までアームを押し下げるとアームとロック解除ボタンの係止部材の連係によりアームが前記位置でロックされる。
洗濯物をハンガーから外す際はロック解除ボタンの穴に指を入れて押下することにより両アームが上がった状態になるので従来のハンガーから外す際と同じように洗濯物を外すことが出来る。
【図面の簡単な説明】
【０００７】
【図１】本発明の正面図である。
【図２】衣類押さえアームを可動範囲門最上部まで上げた状態の本発明の正面図である。
【図３】中軸部内部の拡大図である。
【図４】衣類押さえアーム間の弾性部材に引きバネを用いた図である。
【図５】衣類押さえアームの弾性部材にキックバネを用いた図である。
【図６】ロック解除ボタンの弾性部材に押しバネを用いた図である。
【図７】アームとロック解除ボタンの係止部材に突起と切り欠きを用いた図である。
【図８】衣類押さえ部を拡大した斜視図である。
【符号の説明】
【０００８】  １  フック                          １０  突起Ｂ
２  中軸部                          １１  突起Ｃ
３  衣類押さえアーム                １２  引きバネ
４  本体                            １３  キックバネ
５  ロック解除ボタン                １４  衣類押さえ部
６  突起Ａ                          １５  押しバネ
７  歯車                            １６  突起Ｄ
８  金属板Ａ                        １７  切り欠き
９  金属板Ｂ
【図１】
2010269108.tif 000003
【図２】
2010269108.tif 000004
【図３】
2010269108.tif 000005
【図４】
2010269108.tif 000006
【図５】
2010269108.tif 000007
【図６】
2010269108.tif 000008
【図７】
2010269108.tif 000009
【図８】
2010269108.tif 000010